(57)【要約】【課題】第２の排除券集積部を取出装置の近傍に設けることにより、取出装置と第２の排除券集積部との間の距離を短くして操作性を向上させる。【解決手段】取出装置１の近傍に設けられ、第１の振分装置９により振り分けられた排除すべき券Ｐを集積させる第１の排除券集積部１６と、第１の判別装置８により正常な姿勢であると判別された券Ｐの良否を判別する第２の判別装置１０と、この第２の判別装置１０により不良であると判別された券Ｐを搬送路４から排除する方向に振り分ける第２の振分装置１１と、取出装置１の近傍に設けられ、第２の振分装置１１により振り分けられた排除すべき券Ｐを集積させる第２の排除券集積部１９と、この第２の判別装置１０により良好であると判別された券Ｐを集積させる正券集積装置１３とを具備する。【選択図】      図１
2005008284.tif 000002
【特許請求の範囲】
【請求項１】
紙葉類を取出す取出手段と、
この取出手段によって取り出された紙葉類を搬送路に沿って搬送する搬送手段と、
この搬送手段によって搬送される紙葉類が前記取出手段によって正常な状態で取出されたものか否かを判別する第１の判別手段と、
この第１の判別手段によって正常な姿勢でないと判別された紙葉類を前記搬送路から排除する方向に振り分ける第１の振分手段と、
前記取出手段の近傍に設けられ、前記第１の振分手段により振り分けられた排除すべき紙葉類を集積させる第１の排除用集積手段と、
前記第１の判別手段により正常な状態であると判別された紙葉類の良否を判別する第２の判別手段と、
この第２の判別手段により不良であると判別された紙葉類を前記搬送路から排除する方向に振り分ける第２の振分手段と、
前記取出手段の近傍に設けられ、前記第２の振分手段により振り分けられた排除すべき紙葉類を集積させる第２の排除用集積手段と、
前記第２の判別手段により良好であると判別された紙葉類を集積させる正集積手段と、
を具備することを特徴とする紙葉類処理装置。
【請求項２】
紙葉類を取出す取出手段と、
この取出手段によって取り出された紙葉類を搬送路に沿って搬送する搬送手段と、
この搬送手段によって搬送される紙葉類が前記取出手段によって正常な状態で取出されたものか否かを判別する第１の判別手段と、
この第１の判別手段によって正常な姿勢でないと判別された紙葉類を前記搬送路から排除する方向に振り分ける第１の振分手段と、
前記取出手段の近傍に設けられ、前記第１の振分手段により振り分けられた排除すべき紙葉類を集積させる第１の排除用集積手段と、
前記第１の判別手段により正常な状態であると判別された紙葉類の良否を判別する第２の判別手段と、
この第２の判別手段により不良であると判別された紙葉類を前記搬送路から排除する方向に振り分ける第２の振分手段と、
前記第１の排除用集積手段に隣接して設けられ、前記第２の振分手段により振り分けられた排除すべき紙葉類を集積させる第２の排除用集積手段と、
前記第２の判別手段により良好であると判別された紙葉類を集積させる正集積手段と、
を具備することを特徴とする紙葉類処理装置。
【請求項３】
前記第１及び第２の排除用集積手段は着脱自在な隔壁を介して一体化されたことを特徴とする請求項２記載の紙葉類処理装置。
【請求項４】
前記第１の排除用集積手段は前記第２の排除用集積手段の上面部に設けられ、前記隔壁が取り外されることにより前記第２の排除用集積手段の内部に連通することを特徴とする請求項３記載の紙葉類処理装置。
【請求項５】
前記第１の排除用集積手段は、進入してくる紙葉類の先端部を当接させたのち前記第２の排除用集積手段内に落下集積させる当接部を有することを特徴とする請求項４記載の紙葉類処理装置。
【発明の詳細な説明】
【０００１】
【発明の属する技術分野】
本発明は、例えば、有価証券等の紙葉類を良券と不良券とに区分集積する紙葉類処理装置に関する。
【０００２】
【従来の技術】
この種の紙葉類処理装置には、紙葉類（以下、券という）を一枚ずつ取出す取出装置、及びこの取出装置から取出された券をメイン搬送路に沿って搬送する搬送装置を備え、上記メイン搬送路中には券の搬送方向に沿って順次、第１の判別装置、第１の振分装置、第２の判別装置、第２の振分装置、及び正券集積装置を配設し、また、第１及び第２の振分装置によって振り分けられる方向には、第１及び第２の排除券集積部を配設してなるものがある。
【０００３】
上記した第１の判別装置は取出装置により券が正常な状態で取出されたものか否かを判別し、第２の判別装置は券が正券（良券）であるか否か判別するものである。
【０００４】
次に、上記した処理装置の動作について説明する。
【０００５】
取出装置から取出された券は、第１の判別装置により取出状態が正常であるか否かが判別される。正常に取出されたものであると判別された券は第１の振分装置によりメイン搬送路に振り分けられ、正常でないと判別された券は第１の排除券集積部に振り分けられて集積される。
【０００６】
メイン搬送路に振り分けられた券は第２の判別装置に搬送され、この第２の判別装置で正券であるか否かが判別される。正券であると判別された券は第２の振分装置により正券集積装置に振り分けられ、正券でない（例えば偽券）と判別された券は第２の排除集積部に振り分けられて集積される。
【０００７】
上記した第１の排除券集積部に集積される排除券は、取出装置の取出性能の影響を受けて排除されるものであって券自体が不良券でないため、第１の排除券集積部から取り出されて取出装置に投入されて再処理されるようになっている。
【０００８】
ところで、第１の排除用集積装置から取出した券を即座に取出装置に運べることが操作性有利となるため、第１の排除用集積部は取出装置の近くに設置されている。
【０００９】
一方、第２の排除用集積装置に集積された券は不良券であるため、この券を再度、取出装置に投入して再処理するかどうかは操作者の判断によるが、再度、券の良否を判別したい場合には、操作者は、第２の排除券集積装置まで移動して券を取出す必要がある（例えば、特許文献１参照。）。
【００１０】
【特許文献１】
特開２００１−９３０２６号公報
【発明が解決しようとする課題】
しかしながら、従来においては、第２の排除券集積装置はメイン搬送路の最終端部に設置され、取出装置から遠く離れた場所に位置していたため、操作者は取出装置と第２の排除券集積装置との間の長い距離を移動しなければならず、操作性が悪いものとなっていた。
【００１１】
本発明は上記事情に着目してなされたもので、その目的とするところは、第２の排除用集積手段を取出装置の近傍に設けることにより、取出手段と第２の排除用集積手段との間の距離を短くして操作性を向上できるようにした紙葉類処理装置を提供することにある。
【００１２】
【課題を解決するための手段】
上記課題を解決するため、請求項１記載のものは、紙葉類を取出す取出手段と、この取出手段によって取り出された紙葉類を搬送路に沿って搬送する搬送手段と、この搬送手段によって搬送される紙葉類が前記取出手段によって正常な状態で取出されたものか否かを判別する第１の判別手段と、この第１の判別手段によって正常な姿勢でないと判別された紙葉類を前記搬送路から排除する方向に振り分ける第１の振分手段と、前記取出手段の近傍に設けられ、前記第１の振分手段により振り分けられた排除すべき紙葉類を集積させる第１の排除用集積手段と、前記第１の判別手段により正常な状態であると判別された紙葉類の良否を判別する第２の判別手段と、この第２の判別手段により不良であると判別された紙葉類を前記搬送路から排除する方向に振り分ける第２の振分手段と、前記取出手段の近傍に設けられ、前記第２の振分手段により振り分けられた排除すべき紙葉類を集積させる第２の排除用集積手段と、前記第２の判別手段により良好であると判別された紙葉類を集積させる正集積手段とを具備する。
【００１３】
請求項２記載のものは、紙葉類を取出す取出手段と、この取出手段によって取り出された紙葉類を搬送路に沿って搬送する搬送手段と、この搬送手段によって搬送される紙葉類が前記取出手段によって正常な状態で取出されたものか否かを判別する第１の判別手段と、この第１の判別手段によって正常な姿勢でないと判別された紙葉類を前記搬送路から排除する方向に振り分ける第１の振分手段と、前記取出手段の近傍に設けられ、前記第１の振分手段により振り分けられた排除すべき紙葉類を集積させる第１の排除用集積手段と、前記第１の判別手段により正常な状態であると判別された紙葉類の良否を判別する第２の判別手段と、この第２の判別手段により不良であると判別された紙葉類を前記搬送路から排除する方向に振り分ける第２の振分手段と、前記第１の排除用集積手段に隣接して設けられ、前記第２の振分手段により振り分けられた排除すべき紙葉類を集積させる第２の排除用集積手段と、前記第２の判別手段により良好であると判別された紙葉類を集積させる正集積手段とを具備する。
【００１４】
【発明の実施の形態】
以下、本発明を図面に示す実施の形態を参照して詳細に説明する。
図１は、本発明の一実施の形態である紙葉類処理装置を示す概略的構成図である。
【００１５】
図中１は積層収納した紙幣や有価証券などの紙葉類（以下、券という）Ｐを取出ローラ２の回転により一枚ずつ取出す取出手段としての取出装置で、この取出装置１から取出された券Ｐは搬送手段としての搬送装置３によりメイン搬送路４に沿って搬送される。搬送装置３は複数のローラ５とこれら複数のローラ５に掛け渡されるベルト６により構成され、取り出された券Ｐはベルト６により挟持して搬送されるようになっている。
【００１６】
メイン搬送路４中には券Ｐの搬送方向に沿って順次、第１の判別手段としての第１の判別装置８、第１の振分手段としての第１の振分装置９、第２の判別手段としての第２の判別装置１０、第２の振分手段としての第２の振分装置１１、及び正集積手段としての正券集積装置１３が配設されている。
【００１７】
また、第１の振分装置９には、第１の排除用搬送路１５を介して第１の排除用集積手段としての第１の排除券集積部１６が接続され、第２の振分装置１１には、第２の排除用搬送路１８を介して第２の排除用集積手段としての第２の排除用集積部１９が接続されている。
【００１８】
第１の判別装置８は、取出装置１により取出された券Ｐが正常な状態で取出されたものか否かを判別するものである。即ち、取出装置１に起因する券Ｐの搬送状態、例えば重なりやスキューを検出してその後の搬送および処理に影響があるか否かを判別し、影響があると判別した場合には排除券とし、それ以外の券は正常な券である判別する。
【００１９】
第１の振分装置９は、正常に取出されたものと判別された券Ｐをメイン搬送路４、排除すべきものと判別された券Ｐを第１の排除用搬送路１５にそれぞれ振り分けるものである。第１の排除券集積部１６は第１の排除用搬送路１５によって搬送されくる排除券を集積するものである。第２の判別装置１０は正常に取出された券が正券であるか否かを判別するものである。正券でない券とは、例えば、偽券であったり、テープなどが貼られている券などである。
【００２０】
第２の振分装置１１は、正券をメイン搬送路４、正券でない偽券等を第２の排除用搬送路１８にそれぞれ振り分けるものである。第２の排除券集積部１９は第２の排除用搬送路１８によって搬送されてくる排除券を集積するものである。正券集積部１３はメイン搬送路４に沿って搬送されてくる正券を集積させるものである。
【００２１】
ところで、上記した第１の排除券集積部１６は取出装置１の近傍に設けられ、第２の排除券集積部１９も取出装置１の近傍に設けられている。第２の排除券集積部１９は第１の排除券集積部１６に隣接して設けられている。
【００２２】
次に、上記したように構成される紙葉類処理装置の処理動作について説明する。
まず、取出装置１の取出ローラ２が回転されると、取出装置１から券Ｐが一枚ずつ取出される。この券Ｐは第１の判別装置８により、正常な状態で取出されたものか否かが判別されて第１の振分装置９へ搬送される。第１の判別装置８により正常に取出されたものであると判別された券はメイン搬送路４、正常でないと判別された券Ｐは第１の排除用搬送路１５にそれぞれ振り分けられる。
【００２３】
メイン搬送路４に振り分けられた券Ｐは第２の判別装置１０に搬送され、第１の排除用搬送路１５に振り分けられた券Ｐは、第１の排除券集積部１６に集積される。
【００２４】
第２の判別装置１０に搬送された券は正券であるか否かが判別されたのち、メイン搬送路４に沿って搬送され、第２の振分装置１１に送られる。第２の振分装置１１では、正券をメイン搬送路４、正券でない偽券等を第２の排除用搬送路１８に振り分ける。メイン搬送路４に振り分けられた正券は正券集積装置１３に集積され、第２の排除用搬送路１８に振り分けられた偽券等は、第２の排除券集積部１９に集積される。
【００２５】
第１及び第２の排除券集積部１６，１９に集積された排除券は第１及び第２の排除券集積部１６，１９から取出されて再度、取出装置１に投入されて再処理される。
【００２６】
図２は、第１及び第２の排除券集積部１６，１９の構成を示すものである。これら第１及び第２の排除券集積部１６，１９は、上記したように上下に隣接して設けられ、取出装置１の近傍に配置されている。
【００２７】
第１の排除用集積部１６は第２の排除券集積部１９の上面側に位置して設けられている。第１及び第２の排除券集積部１６，１９間は隔壁としての仕切棚２１により仕切られている。第１の排除券集積部１６の集積空間は、第２の排除券集積部１９の集積空間の直上に配置されている。
【００２８】
第１の排除用集積部１６は、ガイド板２３と当接部としての停止板２４と仕切棚２１とによって構成されている。第１の排除券集積部１６に進入してくる券Ｐは、ガイド板２３に沿って導入され、導入されながら減速される。そして、券Ｐの先端部が停止板２４に衝突することにより停止して仕切棚２１の上面部に落下集積される。続く券Ｐも停止板２４に当接して落下を繰り返すことで仕切棚２１の上に順次集積される。
【００２９】
第２の排除券集積部１９は、複数枚の羽根２６ａ…を持つ羽根車２６と、掻出板２７と仕切棚２１によって構成されている。この第２の排除券集積部１９に進入してくる券Ｐは、羽根車２６の羽根２６ａ間に入り、羽根車２６の回転とともに反転して掻出板２７により掻き出され、第２の排除券集積部１９内に集積される。続く券Ｐも、羽根車２６の回転により反転されながら順次集積が繰り返される。
【００３０】
図３は第１及び第２の排除券集積部１６，１９から仕切棚２１を取り外した状態を示すものである。
操作者の判断により、または仕様により第１及び第２の排除券集積部１６，１９を区分する必要が無いと判断された場合に、仕切棚２１を取り外すことで、２つの集積空間を１つにすることが可能となっている。
【００３１】
仕切棚２１を取り外すことで、第１の排除券集積部１６に進入される排除券はその先端部を停止板２４に当接した後、第２の排除券集積部１９の集積空間部まで落下し、それぞれの券は混在する。
【００３２】
券が混在して集積されることで、立ち券や、折れ等の修正状態の悪化はあるが、第１の排除券集積部１６の停止板２４の下端に折曲部２４ａを形成することで、券Ｐの先端部が折曲部２４ａに掛かり、第２の排除券集積部１９に進入する券Ｐを阻害することが無く、ジャム等に至ることがない。
【００３３】
なお、本発明は上記一実施の形態に限られることなく、その要旨の範囲内で種々変形実施可能なことは勿論である。
【００３４】
【発明の効果】
本発明は以上説明したように、第２の排除用集積手段を取出手段の近傍に配置するため、取出手段と第２の排除用集積手段との間の距離を短くして操作者の移動距離を短くすることができ、操作性を向上できる。
【００３５】
また、第１及び第２の排除用集積手段を隣接して配置するため、構造物を共有することが可能になり製造効率が向上する。
【００３６】
さらに、第１及び第２の排除用集積手段を分離している隔壁を取り除くことで、集積された紙葉類を混在させることができるため、操作者はそれぞれの排除券を個別に取出すことなく、一括して取出して取出手段に投入でき、操作性が向上する。
【図面の簡単な説明】
【図１】本発明の一実施の形態である紙葉類処理装置を示す概略的構成図。
【図２】同実施の形態における第１及び第２の排除券集積部を示す構成図。
【図３】図２の第１及び第２の排除券集積部から隔壁を取り外した状態を示す図。
【符号の説明】
Ｐ…紙葉類、１…取出手段、３…搬送装置（搬送手段）、４…メイン搬送路（搬送路）、８…第１の判別装置（第１の判別手段）、９…第１の振分装置（第１の振分手段）、１０…第２の判別装置（第２の判別手段）、１１…第２の振分手段（第２の振分手段）、１３…正券集積装置（正集積手段）、１６…第１の排除券集積部（第１の排除用集積手段）、１９…第２の排除券集積部（第２の排除用集積手段）、２１…隔壁（仕切棚）、２４停止板（当接部）。
【図１】
2005008284.tif 000003
【図２】
2005008284.tif 000004
【図３】
2005008284.tif 000005